【手続補正書】
【提出日】平成19年6月1日(2007.6.1)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】特許請求の範囲
【補正方法】変更
【補正の内容】
【特許請求の範囲】
【請求項１】
通常動作状態と通常動作状態よりも消費電力の少ない複数の節電状態との状態移行を制御する制御手段を有し、前記複数の節電状態を解除する解除条件が、各節電状態毎に異なることを特徴とする電子機器。
【請求項２】
前記複数の節電状態として、通常動作状態から移行する第１の節電状態と、
該第１の節電状態から移行する該第１の節電状態より消費電力の少ない第２の節電状態とを有することを特徴とする請求項１に記載の電子機器。
【請求項３】
前記複数の節電状態として、
前記第２の節電状態から移行する前記第２の節電状態より消費電力の少ない第3の節電状態を少なくとも1つ有することを特徴とする請求項２に記載の電子機器。
【請求項４】
前記複数の節電状態のうち１つは、移行前の節電状態より節電状態を解除する条件が少ない
ことを特徴とする請求項２ないし３のいずれか１つに記載の電子機器。
【請求項５】
外部操作部材を有し、
該外部操作部材の操作により節電状態が解除可能な節電状態と、
該外部操作部材の操作による節電状態の解除が禁止されている節電状態と、を有する
ことを特徴とする請求項２ないし４のいずれか１つに記載の電子機器。
【請求項６】
最も消費電流が少なく設定されている節電状態にて、
外部操作部材の操作による節電状態の解除が禁止されている
ことを特徴とする請求項５に記載の電子機器。
【請求項７】
複数の表示手段と、該複数の表示手段各々に対応する複数の駆動手段を有し、
該表示駆動手段の停止により節電を行う
ことを特徴とする請求項１ないし６のいずれか１つに記載の電子機器。
【請求項８】
計時機能を実現する為の計時手段を有し、
該計時手段として少なくとも通常動作状態で使用される短時間計時手段と、
該短時間計時手段より長い時間間隔での計時を行う長時間計時手段を有し、
前記複数の節電状態の少なくとも１つは、前記長時間計時手段により計時を行う
ことを特徴とする請求項１ないし７のいずれか１つに記載の電子機器。
【請求項９】
水検出手段と、水深計測手段を有し、
前記複数の節電状態において、前記水検出手段により水を検出した場合、節電状態を解除し、前記水深計測手段を動作させる
ことを特徴とする請求項１ないし８のいずれか１つに記載の電子機器。
【請求項１０】
発電手段と、該発電手段の発電状態を検出する発電検出手段を有し、
前記発電検出手段が非発電を検出した場合に、通常動作状態から各節電状態へ移行する
ことを特徴とする請求項１ないし９のいずれか１つに記載の電子機器。
【請求項１１】
通常動作状態から各節電状態へは非発電状態が所定時間連続して検出された場合に移行し、各節電状態毎に前記所定時間が異なることを特徴とする請求項１０に記載の電子機器。
【請求項１２】
より消費電流の少ない節電状態へ移行するための前記所定時間は、
現在の節電状態へ移行するための前記所定時間より長く設定されている
ことを特徴とする請求項１１に記載の電子機器。
【請求項１３】
前記発電検出手段が発電を検出した場合に、
現在の節電状態から、通常動作状態、もしくは、他の節電状態に移行する
ことを特徴とする請求項１１ないし１２のいずれか１つに記載の電子機器。
【請求項１４】
現在の節電状態から、通常動作状態、もしくは、他の節電状態に移行する際の発電検出が、各節電状態毎に異なることを特徴とする請求項１３に記載の電子機器。
【手続補正３】
【補正対象書類名】明細書
【補正対象項目名】０００７
【補正方法】変更
【補正の内容】
【０００７】
本発明の電子機器は、
通常動作状態と通常動作状態よりも消費電力の少ない複数の節電状態との状態移行を制御する制御手段を有し、前記複数の節電状態を解除する解除条件が、各節電状態毎に異なることを特徴とする。
【手続補正４】
【補正対象書類名】明細書
【補正対象項目名】０００８
【補正方法】変更
【補正の内容】
【０００８】
前記複数の節電状態として、通常動作状態から移行する第１の節電状態と、該第１の節電状態から移行する該第１の節電状態より消費電力の少ない第２の節電状態とを有することを特徴とする。
【手続補正５】
【補正対象書類名】明細書
【補正対象項目名】０００９
【補正方法】変更
【補正の内容】
【０００９】
前記複数の節電状態として、前記第２の節電状態から移行する前記第２の節電状態より消費電力の少ない第3の節電状態を少なくとも1つ有することを特徴とする。
【手続補正６】
【補正対象書類名】明細書
【補正対象項目名】００１０
【補正方法】変更
【補正の内容】
【００１０】
前記複数の節電状態のうち１つは、移行前の節電状態より節電状態を解除する条件が少ないことを特徴とする。
【手続補正７】
【補正対象書類名】明細書
【補正対象項目名】００１１
【補正方法】変更
【補正の内容】
【００１１】
外部操作部材を有し、
該外部操作部材の操作により節電状態が解除可能な節電状態と、
該外部操作部材の操作による節電状態の解除が禁止されている節電状態と、
を有することを特徴とする。
【手続補正８】
【補正対象書類名】明細書
【補正対象項目名】００１２
【補正方法】変更
【補正の内容】
【００１２】
最も消費電流が少なく設定されている節電状態にて、
外部操作部材の操作による節電状態の解除が禁止されていることを特徴とする。
【手続補正９】
【補正対象書類名】明細書
【補正対象項目名】００１３
【補正方法】変更
【補正の内容】
【００１３】
複数の表示手段と、該複数の表示手段各々に対応する複数の駆動手段を有し、
該表示駆動手段の停止により節電を行うことを特徴とする。
【手続補正１０】
【補正対象書類名】明細書
【補正対象項目名】００１４
【補正方法】変更
【補正の内容】
【００１４】
計時機能を実現する為の計時手段を有し、
該計時手段として少なくとも通常動作状態で使用される短時間計時手段と、
該短時間計時手段より長い時間間隔での計時を行う長時間計時手段を有し、
前記複数の節電状態の少なくとも１つは、前記長時間計時手段により計時を行うことを特徴とする。
【手続補正１１】
【補正対象書類名】明細書
【補正対象項目名】００１５
【補正方法】変更
【補正の内容】
【００１５】
水検出手段と、水深計測手段を有し、
前記複数の節電状態において、前記水検出手段により水を検出した場合、節電状態を解除し、前記水深計測手段を動作させることを特徴とする。
【手続補正１２】
【補正対象書類名】明細書
【補正対象項目名】００１６
【補正方法】変更
【補正の内容】
【００１６】
発電手段と、該発電手段の発電状態を検出する発電検出手段を有し、
前記発電検出手段が非発電を検出した場合に、通常動作状態から各節電状態へ移行する
ことを特徴とする。
【手続補正１３】
【補正対象書類名】明細書
【補正対象項目名】００１７
【補正方法】変更
【補正の内容】
【００１７】
通常動作状態から各節電状態へは非発電状態が所定時間連続して検出された場合に移行し、各節電状態毎に前記所定時間が異なることを特徴とする。
【手続補正１４】
【補正対象書類名】明細書
【補正対象項目名】００１８
【補正方法】変更
【補正の内容】
【００１８】
より消費電流の少ない節電状態へ移行するための前記所定時間は、
現在の節電状態へ移行するための前記所定時間より長く設定されていることを特徴とする。
【手続補正１５】
【補正対象書類名】明細書
【補正対象項目名】００１９
【補正方法】変更
【補正の内容】
【００１９】
前記発電検出手段が発電を検出した場合に、現在の節電状態から、通常動作状態、もしくは、他の節電状態に移行することを特徴とする。
【手続補正１６】
【補正対象書類名】明細書
【補正対象項目名】００２０
【補正方法】変更
【補正の内容】
【００２０】
現在の節電状態から、通常動作状態、もしくは、他の節電状態に移行する際の発電検出が、各節電状態毎に異なることを特徴とする。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】